(57)【特許請求の範囲】
【請求項１】
コンロ本体の上面を覆うコンロ天板の前側のコーナ部に、コンロ天板の上方への投影面の外方に張り出す中空の支持アームが取付けられ、支持アームの先端部に、コンロに設けられた熱源を操作する有線式のリモートコントローラが支持され、リモートコントローラ用のケーブルがコンロ本体内から支持アーム内を通してリモートコントローラに接続され、リモートコントローラは、少なくとも水平方向に２軸で揺動自在であり、前記熱源のオンオフ操作及び加熱量の調節を行う操作子を配置した操作盤を備えることを特徴とするコンロ。
【請求項２】
前記支持アームは、前記コンロ天板に対し水平方向に揺動自在であり、前記リモートコントローラは、支持アームに対し上下方向の軸線回りに回動自在であることを特徴とする請求項１記載のコンロ。
【請求項３】
前記リモートコントローラは、前記支持アームの先端部に上下方向に位置調節自在に支持されていることを特徴とする請求項１又は２記載のコンロ。
【請求項４】
前記リモートコントローラは、前記操作盤に対し起伏自在で、内面に表示部を配置した蓋体を備えることを特徴とする請求項１〜３の何れか１項に記載のコンロ。
【発明の詳細な説明】
【技術分野】
【０００１】
本発明は、リモートコントローラを備えるコンロに関する。
【背景技術】
【０００２】
従来のコンロは、コンロに設ける熱源用の操作部材をコンロ本体の前面に配置する前面操作式と(例えば、特許文献１参照)、熱源用の操作部材をコンロ本体の上面を覆うコンロ天板の前側中央部に配置する上面操作式(例えば、特許文献２参照)とに大別される。
【０００３】
ここで、前面操作式のコンロでは、コンロの前側に立つ使用者の視野の下方に操作部材が位置することになり、下方を覗くようにしての操作が必要になる等、上面操作式のものに比し操作性の点で劣る。一方、上面操作式のものでは、操作部材が熱源からの熱影響を受けやすく、更に、油の飛散や煮こぼれで操作部材が汚れやすく、前面操作式のものに比し耐熱性、清掃性の点で劣る。このように前面操作式と上面操作式との何れにも一長一短がある。
【特許文献１】特開２００４−３７５８号公報(００２１，００２２、図３，図４)
【特許文献２】特開２００５−５５０４５号公報(００２１、図１)
【発明の開示】
【発明が解決しようとする課題】
【０００４】
本発明は、以上の点に鑑み、リモートコントローラを用いて熱源を操作できるようにし、操作性、耐熱性、清掃性の何れをも満足できるようにしたコンロを提供することをその課題としている。
【課題を解決するための手段】
【０００５】
上記課題を解決するために、本発明は、コンロ本体の上面を覆うコンロ天板の前側のコーナ部に、コンロ天板の上方への投影面の外方に張り出す中空の支持アームが取付けられ、支持アームの先端部に、コンロに設けられた熱源を操作する有線式のリモートコントローラが支持され、リモートコントローラ用のケーブルがコンロ本体内から支持アーム内を通してリモートコントローラに接続され、リモートコントローラは、少なくとも水平方向に２軸で揺動自在であり、前記熱源のオンオフ操作及び加熱量の調節を行う操作子を配置した操作盤を備えることを特徴とする。
【０００６】
本発明によれば、リモートコントローラがコンロ天板の近傍に配置されることになり、前面操作式のコンロのように使用者が下方を覗き込まずにリモートコントローラで熱源を操作でき、操作性が良くなる。また、リモートコントローラはコンロ天板の前側のコーナ部に支持アームを介して取付けられるため、熱源とリモートコントローラとの間の距離が長くなる。その結果、リモートコントローラは熱源からの熱影響を殆ど受けず、更には、油の飛散や煮こぼれによる汚れも殆ど生じず、耐熱性、清掃性が確保される。しかも、コンロ天板の上面がリモートコントローラで覆われることなく広く開放され、コンロによる調理時にリモートコントローラが邪魔になって使い勝手が悪くなることも防止できる。また、リモートコントローラを設けることで、従来に無い斬新なデザインのコンロが得られる。
【０００７】
尚、持ち運び可能な無線式のリモートコントローラを用いて熱源を操作することも考えられるが、これでは、コンロから離れた場所で調理状況を確認せずに熱源を誤操作して、調理ミスを生ずる可能性があり、コンロにおいて無線式のリモートコントローラを用いることは好ましくない。一方、本発明のように有線式のリモートコントローラを用いる場合は、リモートコントローラ用のケーブルによって体裁を損なったり、ケーブルの損傷を生ずる虞がある。然し、本発明では、ケーブルが支持アーム内に挿通されるため、支持アームがケーブルの目隠し及び保護部材としても機能し、体裁の悪化やケーブルの損傷といった不具合は生じない。
【０００８】
また、支持アームは、コンロ天板に対し水平方向に揺動自在であり、リモートコントローラは、支持アームに対し上下方向の軸線回りに回動自在であることが望ましい。これによれば、コンロ天板の前側のコーナ部に支持アームが取付けられているにも拘らず、支持アームの揺動とリモートコントローラの回動とで、リモートコントローラを操作しやすい位置に所望の向きにして変位させることができ、操作性が一層向上する。また、リモートコントローラが、支持アームの先端部に上下方向に位置調節自在に支持されていれば、使用者の身長等に合わせてリモートコントローラの配置高さを変更でき、操作性を向上させる上で有利である。
【０００９】
また、リモートコントローラは、操作盤に対し起伏自在な蓋体を備えることが望ましい。これによれば、常時は操作盤を蓋体により覆い、操作盤の汚れや子供の悪戯による操作子の操作を防止することができる。この場合、蓋体の内面に表示部を配置しておけば、操作盤に表示部を配置するものに比しリモートコントローラを小型化でき、有利である。
【発明を実施するための最良の形態】
【００１０】
図１は本発明の第１実施形態のコンロを示している。このコンロは、システムキッチンのカウンタトップ(図示せず)に落とし込むようにして配置するドロップイン式ガスコンロであり、上面を開放面とする箱形のコンロ本体１と、コンロ本体１の上面を覆うようにしてカウンタトップに載置される方形のコンロ天板２とを備えている。コンロ本体１には、前側の左右２個と後側の１個の計３個のコンロバーナ３が配置されると共に、コンロ本体１の前面に配置したグリル扉４ａによって開閉されるグリル４が内蔵されている。そして、コンロ天板２に、これら各コンロバーナ３を臨ませる開口を形成して、各開口を囲うように五徳５を載置すると共に、コンロ天板２の後部に、グリル４用の排気口２ａを形成している。尚、各コンロバーナ３には、その内周空間に位置させて、五徳５上の調理容器の底面に当接してその温度を検出する鍋底温度センサ３ａが付設されている。また、図示しないが、各コンロバーナ３とグリル４に設けるグリルバーナ(図示せず)に対する各ガス通路には電動バルブが介設されており、コンロ本体１内のコントローラが後述するリモートコントローラ７からの信号に応じて各電動バルブを制御し、これら各バーナの点消火と火力調節が行われる。
【００１１】
コンロ天板２の前側の横方向一方(図示例では右方)のコーナ部には、コンロ天板２の上方への投影面の外方に張り出す支持アーム６が取付けられ、支持アーム６の先端部に、コンロの熱源たる上記３個のコンロバーナ３とグリルバーナとを操作するリモートコントローラ７が支持されている。支持アーム６は、コンロ天板２に対し水平方向に揺動自在であり、また、リモートコントローラ７は、支持アーム６に対し上下方向の軸線回りに回動自在である。
【００１２】
図２、図３を参照して、コンロ天板２に対する支持アーム６の取付け構造と、支持アーム６に対するリモートコントローラ７の支持構造とについて詳述する。尚、コンロ天板２は、ガラス製の天板主体２１と、天板主体２１を囲う外枠２２と、天板主体２１の下側に配置された鋼板製の裏板２３とで構成されている。コンロ天板２の上記コーナ部には、天板主体２１に形成した孔に嵌合する難燃性樹脂で形成された筒状のパッキン２４が設けられ、このパッキン２４を通して支持アーム６の基端部に下方から嵌合する筒軸２５がその下端のフランジ２５ａにおいて裏板２３に固定されている。そして、支持アーム６の基端部上面に、筒軸２５の上端部に螺合するねじ蓋６１を設け、支持アーム６を筒軸２５に対し抜け止めしている。かくして、支持アーム６は、パッキン２４により付与される適度な摩擦力に抗して筒軸２５を支点にして水平方向に揺動自在となる。
【００１３】
また、支持アーム６の先端部上面とリモートコントローラ７との間には、難燃性樹脂で形成された環状のパッキン６２が介設されており、このパッキン６２を通して支持アーム６の先端部に上方から嵌合する筒軸７１がリモートコントローラ７に固定されている。そして、支持アーム６の先端部下面に、筒軸７１の下端部に螺合するねじ蓋６３を設け、筒軸７１を支持アーム６に対し抜け止めしている。かくして、リモートコントローラ７は、支持アーム６に対しパッキン６２により付与される適度な摩擦力に抗して筒軸７１の軸線たる上下方向の軸線回りに回動自在となる。
【００１４】
ここで、リモートコントローラ７は、リモートコントローラ７への電力供給とリモートコントローラ７からの信号送信とをケーブル７２を介して行う有線式に構成されている。また、支持アーム６は、アルミダイカスト製の上下の板６ａ、６ｂを組合せて中空に形成されている。そして、コンロ本体１内のコントローラに接続されるリモートコントローラ７用のケーブル７２をコンロ本体１内から筒軸２５内、支持アーム６内及び筒軸７１内を通してリモートコントローラ７に接続している。
【００１５】
また、リモートコントローラ７は、支持アーム６に連結される操作盤７３と、操作盤７３に対し後端のヒンジ部７４ａを介して起伏自在に連結される蓋体７４とを備えている。操作盤７３には、図４に示す如く、３個のコンロバーナ３及びグリルバーナの夫々のオンオフ操作(点消火操作)及び加熱量の調節(火力調節)を行う４個の操作子７５が配置されている。各操作子７５は、プッシュプッシュ機構(図示せず)により操作盤７３の上面に出没自在である。そして、各操作子７５を１回目の押し操作で上方に突出させたとき、対応するバーナに点火され、各操作子７５を突出状態で回転することにより対応するバーナの火力調節が行われ、各操作子７５を２回目の押し操作で下方に没入させたとき、対応するバーナが消火される。尚、各バーナの点消火を行う操作子と火力調節を行う操作子とを別々に設けることも可能である。
【００１６】
また、操作盤７３の前側の横方向一方のコーナ部と他方のコーナ部とには、夫々電源スイッチ７６−１と緊急消火スイッチ７６−２とが配置され、緊急消火スイッチ７６−２をオンしたときは、燃焼中の全てのバーナが消火されるようにしている。更に、操作盤７３の後部には、レンジフード用の操作スイッチとして照明をオンオフするスイッチ７７−１と、換気運転及び風量切換を行うスイッチ７７−２と、換気運転を停止するスイッチ７７−３とが配置されている。
【００１７】
蓋体７４の内面には、図１に示すように、液晶式の表示部７８が配置されると共に、表示部７８の周囲に位置させて、各コンロバーナ３やグリル４に対する温調機能や調理タイマ機能といった各種機能の選択や設定を行う機能スイッチ７９が配置されている。そして、表示部７８に、各コンロバーナ３やグリルバーナの火力、選択された機能、タイマの残り時間等を表示するようにしている。
【００１８】
以上の構成によれば、コンロ天板２の近傍に配置されるリモートコントローラ７によりコンロバーナ３やグリルバーナを操作でき、前面操作式コンロのように使用者が下方を覗き込まずに済み、操作性が良くなる。更に、支持アーム６の揺動でリモートコントローラ７を変位できると共に、支持アーム６の揺動に伴うリモートコントローラ７の向きの変化を支持アーム６に対するリモートコントローラ７の回動で修正できる。結局、リモートコントローラ７を操作しやすい位置に所望の向きにして変位させることが可能になり、操作性が一層向上する。
【００１９】
また、リモートコントローラ７はコンロ天板２の前側のコーナ部に支持アーム６を介して取付けられるため、コンロバーナ３とリモートコントローラ７との間の距離が長くなる。その結果、リモートコントローラ７はコンロバーナ３からの熱影響を殆ど受けず、且つ、油の飛散や煮こぼれによる汚れも殆ど生じず、耐熱性、清掃性が確保される。更に、コンロ天板２の上面がリモートコントローラ７で覆われることなく広く開放され、コンロによる調理時にリモートコントローラ７が邪魔になるようなことはなく、使い勝手が良好になる。また、コンロにリモートコントローラ７を付設することで、デザイン的にも斬新なものになる。
【００２０】
尚、有線式のリモートコントローラ７を用いる場合は、リモートコントローラ７用のケーブル７２によって体裁を損なったり、ケーブル７２の損傷を生ずる虞があるが、本実施形態では、ケーブル７２が支持アーム６内に挿通されるため、支持アーム６がケーブル７２の目隠し及び保護部材としても機能し、体裁の悪化やケーブル７２の損傷といった不具合は生じない。また、リモートコントローラ７を蓋体７４付きのものにしているため、常時は図１に仮想線で示す如くリモートコントローラ７の操作盤７３を蓋体７４により覆い、操作盤７３の汚れや子供の悪戯による操作子７５の操作を防止することができる。更に、蓋体７４の内面に表示部７８を配置しているため、操作盤７３に表示部を配置する場合に比しリモートコントローラ７を小型化できる。
【００２１】
図５、図６は第２実施形態を示しており、上記第１実施形態と同様の部材には上記と同一の符号を付している。第２実施形態は、支持アーム６の先端部にリモートコントローラ７を上下方向に位置調節自在に連結した点で第１実施形態と相違する。以下、この点について詳述する。
【００２２】
第２実施形態では、支持アーム６をパイプ状に形成し、支持アーム６の基端部の下方に屈曲する軸部６４において支持アーム６をコンロ天板２に水平方向に揺動自在に連結している。また、支持アーム６の先端部に上方に屈曲する立上り部６５を形成し、この立上り部６５に装着される第１ブロック６６と、第１ブロック６６に水平の支軸６７ａにより適度な摩擦力を付けて上下方向に傾動自在に連結される第２ブロック６７とを設けて、第２ブロック６７上にリモートコントローラ７を適度な摩擦力を付けて上下方向の軸線回りに回動自在に連結している。尚、支持アーム６に挿通されるリモートコントローラ７用のケーブル７２は、立上り部６５の上端から導出されてリモートコントローラ７に接続されている。
【００２３】
第１ブロック６６は、立上り部６５を挟む割り部に取付けた締付けねじ６６ａにより立上り部６５に締結されており、締付けねじ６６ａを緩めることにより立上り部６５に対し第１ブロック６６が上下方向に変位可能になり、リモートコントローラ７が上下方向に位置調節される。従って、使用者の身長等に合わせてリモートコントローラ７の配置高さを調節でき、操作性が一層向上する。また、第１ブロック６６に対する第２ブロック６７の傾動でリモートコントローラ７の姿勢を変更することも可能になる。
【００２４】
以上、ドロップイン式ガスコンロに本発明を適用した実施形態について説明したが、ガスコンロ以外のコンロ、例えば熱源として電気ヒータを用いる電気コンロ、更には、熱源として電磁誘導コイルを用いるＩＨコンロにも同様に本発明を適用できる。また、本発明は、ドロップイン式コンロに限らず卓上式コンロにも適用できる。
【図面の簡単な説明】
【００２５】
【図１】本発明コンロの第１実施形態の全体斜視図。
【図２】第１実施形態のリモートコントローラの配置部の斜め下方から見た斜視図。
【図３】図２のＩＩＩ−ＩＩＩ線で切断した断面図。
【図４】第１実施形態のリモートコントローラの操作盤の平面図。
【図５】本発明コンロの第２実施形態の全体斜視図。
【図６】第２実施形態のリモートコントローラの配置部の斜め下方から見た斜視図。
【符号の説明】
【００２６】
１…コンロ本体、２…コンロ天板、３…コンロバーナ(熱源)、６…支持アーム、７…リモートコントローラ、７２…ケーブル、７３…操作盤、７４…蓋体、７５…操作子。
【図１】
0004689368.tif 000002
【図２】
0004689368.tif 000003
【図３】
0004689368.tif 000004
【図４】
0004689368.tif 000005
【図５】
0004689368.tif 000006
【図６】
0004689368.tif 000007